(57)【要約】      （修正有）【課題】オフロックスイッチの操作性を向上させた卓上切断機を提供する。【解決手段】モータと切断刃を有する切断部１と、切断部に設けられて作業者が把持可能なハンドル２と、ハンドルに設けられてモータのオン・オフを操作可能なメインスイッチと、ハンドル部に設けられてメインスイッチの動きを制限するオフロックスイッチ４と、上面に加工材を載置可能なベースと、切断部をベースに対して傾動可能に支持する傾動支持部と、を有する卓上切断機であって、切断部を一方向側に最大限傾斜させたとき、オフロックスイッチの一方向側の端部が、ハンドルの一方向側端部よりも一方向側に位置するようにした。【選択図】図４
2019209398.tif 000002
【特許請求の範囲】
【請求項１】
モータと鋸刃を有する切断部と、
前記切断部に設けられて作業者が把持可能なハンドルと、
前記ハンドルに設けられて前記モータのオン・オフを操作可能なメインスイッチと、
前記ハンドルに設けられて前記メインスイッチの動きを制限するオフロックスイッチと、
上面に加工材を載置可能なベースと、
前記切断部を前記ベースに対して所定の範囲で傾動可能に支持する傾動支持部と、
前記切断部を前記ベースに対して近接・離間するよう所定の範囲で揺動可能に支持する揺動支持部と、を有し、
前記切断部を一方向側に最大限傾斜させたとき、前記オフロックスイッチの前記一方向側の端部が、前記ハンドルの前記一方向側端部よりも前記一方向側に位置することを特徴とする卓上切断機。
【請求項２】
前記ハンドルは前記鋸刃の側面と平行な方向に延び、
前記切断部を一方向側に最大限傾斜させたとき、前記オフロックスイッチを押圧する作業者の指の少なくとも一部が、前記ハンドルの中心よりも上方に位置する状態でオフロックスイッチを操作可能であることを特徴とする請求項１に記載の電動工具。
【請求項３】
前記オフロックスイッチは、前記ハンドルから前記ハンドルの中心軸と直交する方向に突出していることを特徴とする請求項２に記載の電動工具。
【発明の詳細な説明】
【技術分野】
【０００１】
本発明は、卓上切断機に関するものである。
【背景技術】
【０００２】
電動工具には、モータのオン・オフを操作するスイッチ等の操作部材が設けられ、作業者によってスイッチが操作されると、モータが駆動して先端工具に必要な動力が伝達される。
【０００３】
従来の電動工具においては、スイッチの誤操作による意図せぬモータの駆動を抑制するため、スイッチの操作を規制する機構を備えている電動工具がある。かかる機構能は“オフロック機構”と呼ばれることがあり、本明細書においても必要に応じて上記機能をオフロック機構と呼ぶ。
【先行技術文献】
【特許文献】
【０００４】
【特許文献１】特開２０１５−１６３４２１号公報
【特許文献２】特開２０１１−０９８４２０号公報
【発明の概要】
【発明が解決しようとする課題】
【０００５】
特許文献１には、オフロック機構を有する切断機が開示されている。ここで、特許文献１のようなオフロック機構を特許文献２に開示されるような切断部を傾斜させる機構を有する卓上切断機に適用した際の操作を図６と図７を用いて説明する。図６は、切断部を傾斜させずに作業者の手Ｈが卓上切断機のハンドル１０２を把持した状態を、作業者側（前側）から見た図である。（ａ）はオフロックスイッチの操作前で、（ｂ）はオフロックスイッチを押圧している操作状態である。オフロックスイッチ１０４はハンドル１０２を把持した片方の手Ｈで操作ができるようになっており、図示しないメインスイッチは手の第二指（人差し指）で前方へ引くことが可能になっており、オフロックスイッチは第一指６（親指）で左右方向のどちらか一方へ押すことが可能な構造となっている。
【０００６】
図６のような直角切断（切断部を傾斜させずに行う切断）においては、オフロックスイッチ４は第一指６の第一関節６ｂと第二関節６ｃ、及びＣＭ関節６ｄと呼ばれる部位を曲げることで第一指６の先端６ａで押圧して操作する。
【０００７】
図７は、切断部を最大限傾斜させたとき（傾斜状態）に作業者の手Ｈがハンドル１０２を把持している図である。（ａ）はオフロックスイッチ１０４の操作前で、（ｂ）はオフロックスイッチ１０４を押圧している操作状態である。オフロックスイッチ１０４は図６の状態と変わらず第一指６で操作を行う。
【０００８】
図示のように、ハンドル１０２が傾いた傾斜状態においても、切断作業の際は直角切断時と同様に鉛直方向上から手を添え握る姿勢となる。
【０００９】
ハンドル１０２が傾くと、オフロックスイッチ１０４は下方向を向くように移動し、（作業者側から見てハンドル１０２の裏側）となり、操作位置が遠くなるので、ハンドル１０２を深く握りこむ必要がある。これにより、第一指６とハンドル１０２の隙間が少なくなり、第一指６の第二関節６ｃとＣＭ関節６ｄの可動域が狭くなる。
【００１０】
また、図７（ｂ）のように、オフロックスイッチ１０４の操作時は、オフロックスイッチ１０４へ触れるために第一関節６ｂをより大きく曲げなければならず、第一指６の可動域はさらに狭められ、オフロックスイッチ１０４を押し切れない問題が発生していた。
【課題を解決するための手段】
【００１１】
本発明のある態様は、卓上切断機である。この電動工具は、モータと切断刃を有する切断部と、前記切断部に設けられて作業者が把持可能なハンドルと、前記ハンドルに設けられて前記モータのオン・オフを操作可能なメインスイッチと、前記ハンドル部に設けられて前記メインスイッチの動きを制限するオフロックスイッチと、上面に加工材を載置可能なベースと、前記切断部を前記ベースに対して所定の範囲で傾動可能に支持する傾動支持部と、前記切断部を前記ベースに対して近接・離間するよう所定の範囲で揺動可能に支持する揺動支持部と、を有し、前記切断部を一方向側に最大限傾斜させたとき、前記オフロックスイッチの前記一方向側の端部が、前記ハンドルの前記一方向側端部よりも前記一方向側に位置するように構成される。
【発明の効果】
【００１２】
本発明によれば、オフロック機構の操作性が向上した卓上切断機を提供できる。
【図面の簡単な説明】
【００１３】
【図１】本件発明の実施例である卓上切断機を右から見た図
【図２】本件発明の実施例である卓上切断機を前から見た図
【図３】本件発明の実施例である卓上切断機を傾斜させて右から見た図
【図４】本件発明の実施例である卓上切断機を傾斜させて前から見た図
【図５】本件発明の実施例である卓上切断機において、切断部を傾斜させた状態で、オフロックスイッチを操作する前の図（ａ）及び、操作している図（ｂ）
【図６】本件課題の構成において、切断部を傾斜させない状態で、オフロックスイッチを操作する前の図（ａ）及び、操作している（ｂ）図
【図７】本件課題の構成において、切断部を傾斜させた状態で、オフロックスイッチを操作する前の図（ａ）及び、操作している図（ｂ）
【発明を実施するための形態】
【００１４】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。なお、図には各方向を規定する矢印を示し、説明は規定された方向に従って行う。
【００１５】
図１〜図６を参照し、本発明の実施の形態に係る卓上切断機１００を説明する。
【００１６】
図１と図２は本件発明の実施例である卓上切断機１００の側面視図である。ベース１０にはターンテーブル１３が嵌合し、ターンテーブル１３はベース１０によって上下方向を中心として回動自在に保持されている。ターンテーブル１３の上面はベース１０の上面１０ａと同一面となっている。ターンテーブル１３の後部にはベース１０の上面１３ａに対し左右方向に傾斜可能なヒンジ１２が設けられる。ヒンジ１２は、傾動軸１２ａを中心として所定の範囲で回転可能になっている。ヒンジ１２には、円形の鋸刃１４やモータ１６ａを有する切断部１が接続される。ベース１０には、ベース１０の上面１０ａに載置した加工材が突き当たるフェンス１１が設けられている。切断部１は、ベース１０の上面１０ａに対し、揺動軸１５ａを中心として上下方向に揺動可能なように揺動支持部１５に支持されている。切断部１はヒンジ１２によって支持されているため、切断部１も傾動軸１２ａを中心として回転可能になっており、この支持機構によってベース１０に対して切断部１を傾斜させることができるようになっている。また、揺動支持部１５は摺動軸１８ａ（スライドシャフト）に沿って摺動可能なように摺動支持部１８に支持されている。摺動軸１８ａは前後方向に延びているため、切断部１は前後方向に摺動可能となり、摺動（スライド）動作による切断等を行う事ができる。図１と図２では、切断部は揺動範囲中の上死点（最もベース１０から離間した位置）に位置し、摺動（前後）方向では最も後方に位置している。
【００１７】
切断部１にはモータハウジング１６が設けられ、モータハウジング１６の内部には点線で示すようにモータ１６ａが設けられている。また、切断部１には電池１７が着脱可能に設けられており、電池１７はモータ１６ａに電力を供給する。モータ１６ａが回転すると、不図示の伝達機構によって回転力が鋸刃１４に伝達される。鋸刃１４は左右方向に延びる回転軸１４ａを中心として回転する。
【００１８】
切断部１には、作業者が把持可能なハンドル２が設けられ、ハンドル２にはメインスイッチ３及びオフロックスイッチ４が設けられる。図１及び図２において、ハンドル２は鋸刃１４の側面と平行な方向（前後及び上下方向）に延びている。オフロックスイッチ４は回転軸１４ａの延びる方向と同方向（左右方向）に突出し、その突出方向に押圧操作して移動させることができる。具体的には、オフロックスイッチ４は作業者の手Ｈの第一指６の第一関節６ｂと第二関節６ｃ、及びＣＭ関節６ｄと呼ばれる部位を曲げることで第一指６の先端６ａで押圧して操作する。また、メインスイッチ３はハンドル２の中心軸Ａ及び回転軸１４ａの両方に対して直交する方向に押圧操作（引き操作）することができ、操作することでモータ１６ａのオン・オフを操作できる。メインスイッチ３は作業者の手Ｈの第二指５（人差し指）によって操作可能である。オフロックスイッチ４を押圧操作することで、メインスイッチ３の動きを規制している状態を解除できるが、メインスイッチ３の規制構造は特許文献１と同様であるため詳細な説明は省略する。
【００１９】
図１及び図２には、ハンドル２を把持する作業者の手Ｈを記載し、手Ｈによって見えなくなっている輪郭を破線にて表している。なお、作業者の手Ｈはメインスイッチ３及びオフロックスイッチ４を操作しておらず、メインスイッチ３及びオフロックスイッチ４は初期位置に位置している。また、切断部１には照明２０が設けられるが、図２では図示を省略している。
【００２０】
図１と図２には、ハンドル２の中心Ｃを示す。中心Ｃは、作業者の手Ｈが把持可能な部分の中心を示す。より具体的には、中心軸Ａの方向に延びるハンドル２において、メインスイッチ３とオフロックスイッチ４が設けられている側を一方側とし、逆側を他方側としたとき、中心軸Ａ方向におけるメインスイッチ３の他方側端部の位置３ａ（破線位置）と、中心軸Ａとが交差する部分を中心Ｃとして示す。図１及び図２の状態では、中心Ｃはオフロックスイッチ４よりも下方に位置している。
【００２１】
図１、図２の状態において、ベース１０の後部に設けられたクランプレバー１２ｂを操作することで、ベース１０に対するヒンジ１２の固定力を弱めて、切断部１をベース１０に対して傾斜可能な状態とし、切断部１を右方向に傾斜させた状態が図３および図４である。
【００２２】
図３、図４においては、切断部１は初期位置から４５度傾いているため、鋸刃１４の側面はベース１０の上面１０ａに対して４５度の角度を成すように延在する。なお、図３及び図４の状態において切断部１は、図示せぬストッパによってこれ以上右側に傾斜できないようになっている。すなわち図３及び図４は、切断部１を最大限右側に傾斜させた状態となっている。図３及び図４にも、ハンドル２を把持する作業者の手Ｈを記載し、手Ｈによって見えなくなっている輪郭を破線にしている。また、メインスイッチ３及びオフロックスイッチ４は初期位置に位置している。
【００２３】
次に図５を用いて本件発明のオフロックスイッチ４を説明する。
【００２４】
図５（ａ）は、図４におけるハンドル２とその周囲を拡大した図であり、図５（ｂ）は図５（ａ）の状態から作業者の手Ｈ（第一指６の先端６ａ）がオフロックスイッチ４を操作（押圧）している状態を示す。
【００２５】
図５（ａ）に示すように、ハンドル２を前から水平に見たとき、オフロックスイッチ４の外郭面４ａはハンドル２の外郭面２ａ以上に傾斜側へ突出する構造となっている。具体的には、右側に最大限傾斜した状態の切断部１において、ハンドル２の右側端部（最も右側に位置する部分）の位置２ａよりも、オフロックスイッチ４の右側端部（最も右側に位置する部分）の位置４ａが、右側に位置している。換言すれば、右側に傾斜した状態でハンドル２よりもオフロックスイッチ４が右側に突出している。
【００２６】
これにより、ハンドル２の握った作業者の手Ｈの第一指６が重力作用により下方向に垂れ下がった際、第一指６が外郭面４ａに接触するようになり、第一指６の可動域が広がってオフロックスイッチ４を押し易くなる。換言すれば、第一指６を動かす範囲が小さくさったので、オフロックスイッチ４が操作しやすくなる。
【００２７】
本発明の実施例である卓上切断機１００においては、切断部１がベース１０に対して傾斜していない位置から右側に最大限傾斜した位置までの間、ハンドル２の右側端部の位置２ａよりも、オフロックスイッチ４の右側端部の位置４ａが、右側に位置している。すなわち、一方側への傾斜時には、オフロックスイッチ４の一部が必ずハンドル２よりも一方側に位置するようになっている。このため、一方側への傾斜であれば、どの傾斜角度でもオフロックスイッチ４を好適に操作することができる。
【００２８】
また、本発明のオフロックスイッチ４は、図５及び図６に示す状態において、中心Ｃとオーバーラップする位置関係にあり、第一指６の先端６ａの一部が中心Ｃよりも上方に位置する状態で操作可能となっている。換言すれば、第一指６の先端６ａの少なくとも一部を、上下方向でみたときの中心Ｃと同位置、または中心Ｃよりも上方に位置させた状態で操作可能である。これによって、オフロックスイッチ４の操作を中心Ｃよりも第一指６側で行うことができるため、第一指６によってオフロックスイッチ４を操作しやすくなる。
【００２９】
以上、本発明を実施例に基づいて説明したが、本発明は上述の実施例に限定されるものではなく、その趣旨を逸脱しない範囲内で種々の変更が可能である。例えば、実施例ではオフロックスイッチ４におけるハンドル２から右方向に突出する部分のみに着目したが、左方向に突出する部分に対しても適用可能である。この場合、左方向に傾斜した状態におけるハンドルよりもオフロックスイッチの一部が左方向に突出していればよく、左方向に傾斜した場合にもオフロックスイッチの操作性を向上させることができる。
【符号の説明】
【００３０】
１  切断部、２  ハンドル、３  メインスイッチ、４  オフロックスイッチ、５  第二指、６  第一指、１０  ベース、１０ａ  上面、１１  フェンス、１２  ヒンジ、１３  ターンテーブル、１４  鋸刃、１５  揺動支持部、１５ａ  揺動軸、１６  モータハウジング、１６ａ  モータ、１７  電池、１８  摺動支持部、１８ａ  摺動軸、２０  照明、Ｈ  手
【図１】
2019209398.tif 000003
【図２】
2019209398.tif 000004
【図３】
2019209398.tif 000005
【図４】
2019209398.tif 000006
【図５】
2019209398.tif 000007
【図６】
2019209398.tif 000008
【図７】
2019209398.tif 000009